(57)【要約】【課題】棺に冷気を循環させる際の作動音を低減して、静粛な通夜や葬儀の雰囲気を壊さないようにすることができる棺と棺冷却台装置、それらを使用した棺冷却システム及び棺の冷却方法を提供する。【解決手段】棺冷却システムＳは、棺Ｂと棺冷却台装置Ｃから構成されている。棺冷却台装置Ｃの上面部５１には、上面側冷気供給口５１１と上面側エア吸引口５１２が形成され、棺Ｂの底面部１１には、上面側冷気供給口５１１に対する底面側冷気取入口１１１と上面側エア吸引口５１２に対する底面側エア排出口１１２が形成されている。棺冷却台装置Ｃの上に棺Ｂを載せ、上面側冷気供給口５１１と底面側冷気取入口１１１及び上面側エア吸引口５１２と底面側エア排出口１１２をそれぞれ合わせることにより、配管を介さずに冷気を循環させる循環経路が形成される。【選択図】      図２
2004194921.tif 000002
【特許請求の範囲】
【請求項１】
棺冷却台装置(C)に載置して使用する棺(B)であって、
遺体収容部(10)を備えた棺本体(1)を備えており、
棺本体(1)の底面部(11)には、棺冷却台装置(C)から冷気を取り入れる底面側冷気取入口(111)と、棺冷却台装置(C)へエアを排出する底面側エア排出口(112)とが設けてあり、
棺本体(1)の内面側のうち、底部側と長手方向の両端側の側部側は、外面部(100a)と距離をおいて設けてある内面仕切部(100b)によって二重構造になっており、外面部(100a)と内面仕切部(100b)間の空間部によって、上記底面側冷気取入口(111)から取り入れた冷気を遺体収容部(10)へ送る冷気供給経路(3)と、遺体収容部(10)内のエアを上記底面側エア排出口(112)へ排出するエア排出経路(4)が構成され、
上記内面仕切部(100b)のうち、長手方向の一方の側部側には、上記冷気供給経路(3)と通じており、遺体収容部(10)内へ冷気を供給する側部側冷気供給口(161)が設けてあり、
長手方向の他方の側部側には、上記エア排出経路(4)と通じており、遺体収容部(10)内のエアを排出する側部側エア排出口(181)が設けてあることを特徴とする、
棺。
【請求項２】
内面仕切部(100b)の底部側を支える支持部材(13)(14,14)が設けてあることを特徴とする、
請求項１記載の棺。
【請求項３】
側部側冷気供給口(161)及び側部側エア排出口(181)は、内面仕切部(100b)の上部側に設けてあることを特徴とする、
請求項１または２記載の棺。
【請求項４】
棺(B)を載せる載置台(5)と、
該載置台(5)の内部に収容され、棺(B)に冷気を供給する冷却機(6)と、
を備えており、
載置台(5)のうち、棺(B)を載せる上面部(51)には、棺(B)の遺体収容部(10)へ冷気を供給する上面側冷気供給口(511)と、上記遺体収容部(10)から冷気を吸い込む上面側エア吸引口(512)が設けられており、
該上面側冷気供給口(511)と上面側エア吸引口(512)は、載置台(5)の内部を仕切ることで構成される通気空間部(8)によって連通していることを特徴とする、
棺冷却台装置。
【請求項５】
棺(B)を載せる載置台(5)と、
該載置台(5)の内部に収容され、棺(B)に冷気を供給する冷却機(6)と、
を備えており、
載置台(5)のうち、棺(B)を載せる上面部(51)には、棺(B)の遺体収容部(10)へ冷気を供給する上面側冷気供給口(511)と、上記遺体収容部(10)から冷気を吸い込む上面側エア吸引口(512)が設けられており、
該上面側冷気供給口(511)と上面側エア吸引口(512)は、載置台(5)の内部を仕切ることで構成される通気空間部(8)によって連通し、該通気空間部(8)内には冷却機(6)の蒸発器(61)と送風機(71，72)が設けられていることを特徴とする、
棺冷却台装置。
【請求項６】
請求項１，２または３記載の棺(B)と、請求項４または５記載の棺冷却台装置(C)を備えたことを特徴とする、
棺冷却システム。
【請求項７】
配管を介さずに冷気を循環させる循環経路を形成する棺冷却システム(S)であって、
棺冷却台装置(C)の上面部(51)に上面側冷気供給口(511)と上面側エア吸引口(512)が形成され、棺(B)の底面部(11)に上記上面側冷気供給口(511)に対する底面側冷気取入口(111)と上記上面側エア吸引口(512)に対する底面側エア排出口(112)が形成されており、
棺冷却台装置(C)の上に棺(B)を載せ、上記上面側冷気供給口(511)と底面側冷気取入口(111)及び上記上面側エア吸引口(512)と底面側エア排出口(112)をそれぞれ合わせることにより、上記循環経路が形成されるように構成してあることを特徴とする、
棺冷却システム。
【請求項８】
棺冷却台装置の上に棺を載せ、棺冷却台装置と棺との間で配管を介さずに冷気を循環させるようにしたことを特徴とする、
棺の冷却方法。
【発明の詳細な説明】
【０００１】
【発明の属する技術分野】
本発明は棺、棺冷却台装置及び棺冷却システムに関する。
更に詳しくは、棺に冷気を循環させる際の作動音を低減して、静粛な通夜や葬儀の雰囲気を壊さないようにしたものに関する。
【０００２】
【従来技術】
従来より、棺に収容した遺体の腐敗防止のため、棺内を冷却機を用いて冷やすことが提案されている。その一例として、棺桶に対し着脱可能な吐出側ホースと吸込側ホースを備えた冷却機を用いたものが提案されている（例えば、特許文献１参照）。
【０００３】
【特許文献１】
特開平９−９４２７５号公報
【０００４】
しかしながら、この棺桶冷却装置では、棺桶にホースを着脱する際の手間が煩雑であり、しかも、接続用のホースが棺桶の外へ露出してしまうため、通夜や葬儀の参列者に違和感を与えるという問題があった。
【０００５】
そこで、棺を載置する棺台の中に、接続用の配管である冷風吐出管及び吸気管を収容し、この各配管を棺の底面側から棺内へ接続可能にしたものが提案されている（特許文献２参照）。
【０００６】
【特許文献２】
特開２００１−６１９１１号公報
【０００７】
特許文献２に記載のものによれば、棺を棺台に載置することにより、棺と冷風装置を簡単に接続することができる。また、配管は棺台の中に隠れるので、参列者に違和感を与えるということもない。
【０００８】
【発明が解決しようとする課題】
しかしながら、特許文献１及び特許文献２に記載のものは、冷風装置と棺とを空気の流通抵抗が大きい配管で接続しているため、「シュー」あるいは「ゴー」という配管を流れる空気の音や振動音がし、静粛な通夜や葬儀の雰囲気を壊してしまう。
【０００９】
また、冷風吐出管及び吸気管は、共に、棺の底面部から棺内に連通しているため、冷風吐出管から送られた冷気の多くは、棺の上の方まで行き渡らないまま、吸気管から棺外へ排出されやすい。よって、棺全体を十分に冷やすことはできず、実用性に乏しかった。
【００１０】
また更に、各配管は棺の底面部から棺内に直接的に連通しているため、遺体から出る体液が配管や配管を差し入れる孔部から棺外へ流れ出る恐れもあった。
【００１１】
（発明の目的）
そこで本発明の目的は、棺に冷気を循環させる際の作動音を低減して、静粛な通夜や葬儀の雰囲気を壊さないようにすることにある。
本発明の他の目的は、棺と冷却機を簡単に接続することができ、またその接続部を外部から見えないようにすることにある。
本発明の他の目的は、棺の遺体収容部内を十分に冷やすことができるようにすることにある。
本発明の他の目的は、遺体から出る体液が棺外へ流れ出ることを防止することにある。
本発明の他の目的は、棺に遺体を収容しても底が抜けたり、変形するような恐れがないようにすることにある。
【００１２】
【課題を解決するための手段】
上記目的を達成するために講じた本発明の手段は次のとおりである。
第１の発明にあっては、
棺冷却台装置に載置して使用する棺であって、
遺体収容部を備えた棺本体を備えており、
棺本体の底面部には、棺冷却台装置から冷気を取り入れる底面側冷気取入口と、棺冷却台装置へエアを排出する底面側エア排出口とが設けてあり、
棺本体の内面側のうち、底部側と長手方向の両端側の側部側は、外面部と距離をおいて設けてある内面仕切部によって二重構造になっており、外面部と内面仕切部間の空間部によって、上記底面側冷気取入口から取り入れた冷気を遺体収容部へ送る冷気供給経路と、遺体収容部内のエアを上記底面側エア排出口へ排出するエア排出経路が構成され、
上記内面仕切部のうち、長手方向の一方の側部側には、上記冷気供給経路と通じており、遺体収容部内へ冷気を供給する側部側冷気供給口が設けてあり、
長手方向の他方の側部側には、上記エア排出経路と通じており、遺体収容部内のエアを排出する側部側エア排出口が設けてあることを特徴とする、
棺である。
【００１３】
第２の発明にあっては、
内面仕切部の底部側を支える支持部材が設けてあることを特徴とする、
第１の発明に係る棺である。
【００１４】
第３の発明にあっては、
側部側冷気供給口及び側部側エア排出口は、内面仕切部の上部側に設けてあることを特徴とする、
第１または第２の発明に係る棺である。
【００１５】
第４の発明にあっては、
棺を載せる載置台と、
該載置台の内部に収容され、棺に冷気を供給する冷却機と、
を備えており、
載置台のうち、棺を載せる上面部には、棺の遺体収容部へ冷気を供給する上面側冷気供給口と、上記遺体収容部から冷気を吸い込む上面側エア吸引口が設けられており、
該上面側冷気供給口と上面側エア吸引口は、載置台の内部を仕切ることで構成される通気空間部によって連通していることを特徴とする、
棺冷却台装置である。
【００１６】
第５の発明にあっては、
棺を載せる載置台と、
該載置台の内部に収容され、棺に冷気を供給する冷却機と、
を備えており、
載置台のうち、棺を載せる上面部には、棺の遺体収容部へ冷気を供給する上面側冷気供給口と、上記遺体収容部から冷気を吸い込む上面側エア吸引口が設けられており、
該上面側冷気供給口と上面側エア吸引口は、載置台の内部を仕切ることで構成される通気空間部によって連通し、該通気空間部内には冷却機の蒸発器と送風機が設けられていることを特徴とする、
棺冷却台装置である。
【００１７】
第６の発明にあっては、
第１，２または第３の発明に係る棺と、第４または第５の発明に係る棺冷却台装置を備えたことを特徴とする、
棺冷却システム。
【００１８】
第７の発明にあっては、
配管を介さずに冷気を循環させる循環経路を形成する棺冷却システムであって、
棺冷却台装置の上面部に上面側冷気供給口と上面側エア吸引口が形成され、棺の底面部に上記上面側冷気供給口に対する底面側冷気取入口と上記上面側エア吸引口に対する底面側エア排出口が形成されており、
棺冷却台装置の上に棺を載せ、上記上面側冷気供給口と底面側冷気取入口及び上記上面側エア吸引口と底面側エア排出口をそれぞれ合わせることにより、上記循環経路が形成されるように構成してあることを特徴とする、
棺冷却システムである。
【００１９】
第８の発明にあっては、
棺冷却台装置の上に棺を載せ、棺冷却台装置と棺との間で配管を介さずに冷気を循環させるようにしたことを特徴とする、
棺の冷却方法である。
【００２０】
（作  用）
本発明に係る棺と棺冷却台装置からなる棺冷却システムは、次のように作用する。
使用にあたっては、棺を棺冷却台装置に載置する。これにより、棺の底面側冷気取入口と底面側エア排出口とが、棺冷却台装置の上面側冷気供給口と上面側エア吸引口に合い、棺と棺冷却台装置の冷却機構は容易に且つ迅速に接続される。
棺本体と棺冷却台装置の接続部は、棺と棺冷却台装置の間に隠れて外部に露出しない。
【００２１】
棺冷却台装置の内部に収容された冷却機の蒸発器によって冷やされた空気は、上面側冷気供給口から棺の冷気供給経路を通り、側部側冷気供給口から遺体収容部に供給される。そして、遺体を冷やしながら流れたエアは、側面側エア排出口からエア排出経路を通り、棺冷却台装置の上面側エア吸引口から吸引されて再び蒸発器に送られる。以上のようにして、冷気は遺体収容部に流れて循環し、遺体は冷やされる。
【００２２】
棺本体と棺冷却台装置間を循環する冷気またはエアは、空気の流通抵抗が大きい配管ではなく、空気の流通抵抗が小さい空間部を流れるので、「シュー」あるいは「ゴー」という配管を流れる空気の音や振動音は発生しにくい。
【００２３】
遺体収容部へ冷気を供給する側部側冷気供給口、及び遺体収容部内のエアを排出するエア側部排出口が、内面仕切部の上部側に設けられているものでは、冷気は側部側冷気供給口から流れて一旦底部側に留まらないと、上部側の側面側エア排出口から排出されないようになっている。したがって、冷気供給口とエア排出口が共に棺本体の底部側に設けてある従来のものに比べ、遺体収容部内を十分に冷やすことができる。
【００２４】
棺本体の側部側冷気供給口及び側面側エア排出口は、棺本体の底部側ではなく、側部側に設けてあるので、遺体から出る体液が底面側から棺外へ流れ出るような不都合もない。
【００２５】
内面仕切部の底部を支える支持部材が設けてあるものでは、底部全体が二重構造で空洞になっている場合と比べ、底部側の強度が増すので、遺体を収容しても底が抜けたり、変形するような恐れはない。
【００２６】
【発明の実施の形態】
本発明を図面に示した実施の形態に基づき更に詳細に説明する。
図１及び図２は本発明に係る棺及び冷却台装置からなる棺冷却システムの一実施の形態を示す。
図１は棺冷却システムの使用方法を示す側面視説明図、
図２は棺冷却台装置に棺を載置した状態で、棺及び棺冷却台装置の一部を断面して内部構造を表した概略説明図である。
【００２７】
図３ないし図５は棺の一実施の形態を示す。
図３は蓋体を外した棺本体を断面して内部構造を表した概略説明図、
図４は棺本体の底面視説明図、
図５(ａ)は図３及び図４のＩ−Ｉ部分に対応する断面を示す概略説明図で、図５(ｂ)は図３及び図４のII−II部分に対応する断面を示す概略説明図である。
【００２８】
図６ないし図９は棺冷却台装置の一実施の形態を示す。
図６は棺冷却台装置の一部を断面して内部構造を表した概略説明図、
図７は棺冷却台装置の平面視概略説明図、
図８は格子体及び上蓋を外して、棺冷却台装置の内部構造を表した平面視概略説明図、
図９は棺冷却台装置の背面視説明図である。
【００２９】
図１及び図２に示す棺冷却システムＳは、遺体Ａを収容する木製の棺Ｂと、棺Ｂを載置することができ、且つ、棺Ｂの遺体収容部１０内のエアを循環させながら冷やすことができる棺冷却台装置Ｃから構成されている。
【００３０】
この棺冷却システムＳによれば、棺Ｂを棺冷却台装置Ｃに載置するだけで、棺Ｂと棺冷却台装置Ｃの冷却機構と簡単に接続でき、棺Ｂと冷却機構を接続するため配管は不要である。
【００３１】
また図２及び図３に示すように、棺Ｂの棺本体１は、棺冷却台装置Ｃから送られる冷気が内部を循環するように、内面側である底部側及び長手方向の両端側の側部側が二重構造になっている。
以下、棺冷却システムＳの各構成部材について、順を追って詳しく説明する。
【００３２】
まず、図３ないし図５を主に参照して、棺Ｂについて説明する。
図３に示すように、棺Ｂは、遺体収容部１０を備えた棺本体１と、棺本体１の上部開口部（符号省略）を閉じる蓋体２を備えている。符号２１は蓋体２に設けてある覗き窓を開閉する扉を示している。
【００３３】
棺本体１の底面部１１のうち、長手方向の端部側（図３で左端側）には底面側冷気取入口１１１が設けてある。この底面側冷気取入口１１１より、棺冷却台装置Ｃからの冷気が遺体収容部１０へ取り入れられる。
【００３４】
同じく、棺本体１の底面部１１のうち、長手方向のほぼ中間部分には底面側エア排出口１１２が設けてある。この底面側エア排出口１１２から、遺体収容部１０内のエアが棺冷却台装置Ｃへ排出される。
【００３５】
図４に示すように、底面側冷気取入口１１１及び底面側エア排出口１１２は、長方形または長孔状に形成されている。底面側冷気取入口１１１及び底面側エア排出口１１２は、底面部１１を構成する板体の所要の位置をそれぞれほぼ全幅にわたり開口することで形成されている。
【００３６】
底面側冷気取入口１１１は、図７で左端に示す棺冷却台装置Ｃの上面側冷気供給口５１１に合わさるように配置されている。他方、底面側エア排出口１１２は、図７でほぼ中央に示す棺冷却台装置Ｃの上面側エア吸引口５１２に合わさるように配置されている。
【００３７】
上記したように、棺本体１の内面側のうち、底部側と長手方向の両端側の側部側は二重構造になっている。詳しくは、外面部１００ａと距離をおいて設けてある板状の内面仕切部１００ｂによって二重構造になっており、外面部１００ａと内面仕切部１００ｂ間の空間部によって、上記底面側冷気取入口１１１から取り入れた冷気を遺体収容部１０へ送る冷気供給経路３と、遺体収容部１０内のエアを上記底面側エア排出口１１２へ排出するエア排出経路４が構成されている。なお、エア排出経路４には冷たいエアも流れるため、冷気排出経路と称することもできる。
【００３８】
以下、棺本体１の内部構造について詳しく説明する。
図３に示す棺本体１の底部側には、底面部１１とやや距離をおいて板状の底部側仕切部１２が設けてある。底部側仕切部１２は、図４に示す板状で平面視方形状の第一支持部材１３と、板状で平面視三角形状の第二支持部材１４，１４によって底面部１１から支持されている。つまり、底面部１１と、第一支持部材１３、第二支持部材１４，１４は、協働して底部側仕切部１２を支持している。これにより、底部全体が二重構造で空洞になっている場合と比べ、底部側の強度が増すので、遺体Ａを収容しても底が抜けたり、変形するような恐れはない。
【００３９】
棺本体１の内面側のうち、長手方向の一方の側部側（図３で左端側）には、左側面部１５とやや距離をおいて板状の左側面仕切部１６が設けてある。図５(ａ)に示すように、左側面仕切部１６の上部側には側部側冷気供給口１６１が所要数設けてあり、ここから遺体収容部１０内に冷気が供給される。
【００４０】
側部側冷気供給口１６１は、長孔状に形成され、左側面仕切部１６の幅方向のほぼ中間部分に所要数（本実施の形態では、縦二列で合計六箇所）設けてある。
【００４１】
棺本体１の内面側のうち、長手方向の他方の側部側（図３で右端側）には、右側面部１７とやや距離をおいて板状の右側面仕切部１８が設けてある。図５(ｂ)に示すように、右側面仕切部１８の上部側には側面側エア排出口１８１が所要数設けてあり、ここから遺体収容部１０内のエアが排出される。
【００４２】
側面側エア排出口１８１の位置、数、大きさ等は、上記した側部側冷気供給口１６１と同じであるため、説明は省略する。
【００４３】
なお、側部側冷気供給口１６１及び側面側エア排出口１８１の位置、数、及び大きさ等は、上記したものに限定されない。ただし、冷気は上から下へ流れるため、開口部はできるだけ上の方が好ましい。
【００４４】
図３に示すように、左側面仕切部１６は、上部側が左側面部１５と連続し、下部側が底部側仕切部１２と連続している。この左側面部１５、左側面仕切部１６、底部側仕切部１２及び第一支持部１３によって主に仕切られた空間部によって、上記した冷気供給経路３が構成されている。
【００４５】
なお、図５(ａ)に示すように、側面視で冷気供給経路３の面積は、左側面仕切部１６の面積よりもやや小さい。これは、棺本体１の左側面仕切部１６の強度が低下することを防ぐためである。これについては、図５(ｂ)に示すように、後述する右側面側のエア排出経路４と右側面仕切部１８についても同じである。
【００４６】
右側面仕切部１８は、上部側が右側面部１７と連続し、下部側が底部側仕切部１２と連続している。この右側面仕切部１８、底部側仕切部１２、右側面部１７、第二支持部１４，１４によって主に仕切られた空間部によって、上記したエア排出経路４が構成されている。
【００４７】
図４に示すように、底面視でエア排出経路４の面積は、平面視三角形状の第二支持部１４，１４の間で挟まれていることから、底面側エア排出口１１２へ向かって広くなるように形成されている。これにより、空気抵抗が小さくなり、底面側エア排出口１１２から円滑にエアが排出される。
【００４８】
次に、図６ないし図９を主に参照して、棺冷却台装置Ｃについて説明する。
棺冷却台装置Ｃは、平面視長方形状（全体は直方体状）でステンレス製のフレーム部材である載置台５を備えている。載置台５の上面部５１の面積は、棺Ｂの底面部１１と同じか大体同じ大きさに設計されている。ただし、遺体によっては棺の大きさが変わるので、上面部５１の大きさは特に限定されず、棺Ｂが上面部５１からはみ出しても構わない。
【００４９】
載置台５の底部側の四隅にはキャスター５２が設けてあり、車輪の固定を解除すれば、棺冷却台装置Ｃを自由に移動させることができる。
【００５０】
載置台５の上面部５１の所要の位置には、上記したように、棺Ｂへ冷気を送る上面側冷気供給口５１１と、棺Ｂ内のエアを吸引する上面側エア吸引口５１２が設けてある。更に、載置台５の内部には、棺Ｂから吸引したエアを冷やす冷却機６が備えられている。
【００５１】
上面側冷気供給口５１１は、図７で上面部５１の左端側に長方形または長孔状に開口している。他方、上面側エア吸引口５１２は、図７で棺冷却台装置Ｃの長手方向のほぼ中央に配置されている。上面側冷気供給口５１１及び上面側エア吸引口５１２の開口部分には、通気可能な格子体５３が着脱可能に嵌め込んである。この格子体５３は、格子状で合成樹脂製のリブ体５３１を枠部５３２で囲んだ構造となっている。
【００５２】
枠部５３２は、ゴム（天然ゴム、合成ゴムを問わない）や合成樹脂等の弾性体によって形成され、シール機能及びクッション機能を備えたパッキンとなっている。更に枠部５３２は、棺冷却台装置Ｃの上面部５１よりもやや上に張り出して設けてある。
【００５３】
このような構成により、図２に示すように、棺冷却台装置Ｃの上に棺Ｂを載置した際に、棺Ｂの自重によって弾性を有する枠部５３２，５３２が押圧されてやや変形し、棺Ｂの底面側冷気取入口１１１と底面側エア排出口１１２とが、棺冷却台装置Ｃの上面側冷気供給口５１１と上面側エア吸引口５１２に隙間なく密着し、互いに連通するようになる。
【００５４】
上面側冷気供給口５１１の下面部には、送風機７１が設けてある。格子体５３を取り外した状態を示す図８から分かるように、本実施の形態では、送風機７１は、プロペラを幅方向に所要数（本実施の形態では三カ所）並設して構成され、エアは下から上に流れる。
【００５５】
図６及び図８に示すように、上面側冷気供給口５１１と上面側エア吸引口５１２の間の下部側には、棺冷却台装置Ｃ内での冷気またはエアが通る通気空間部８が設けてある。通気空間部８は、棺冷却台装置Ｃの上部側に位置し、側面視凹型の載置部５４によって、下部側の中空部５５及び図６で右側の空間部８０と仕切られている。
なお、載置部５４は、ステンレス製の板体の間に断熱材を設けた断熱構造となっている。
【００５６】
通気空間部８のほぼ中央には、冷却機６の一部を構成する蒸発器（熱交換器）６１が設けてある。図６で蒸発器６１の右側面部には、エア取込口（図では隠れて見えず）が設けてある。エア取込口には、棺Ｂ内のエアを通気空間部８内に吸引する送風機７２が固定して設けてある。この送風機７２は上記した送風機７１と同じか大体同じ構造であり、エアは図６で右から左へ流れるようになっている。
【００５７】
図８に示す符号７２１，７２１は、上面側エア吸引口５１２から吸引されたエアを蒸発器６１のケーシング内に漏れなく取り込むための板状の仕切部を示している。図６で蒸発器６１の左側面部には、蒸発器６１で冷やされた冷気が排出される排出口６１１が設けてある。
【００５８】
以上のような構成により、棺Ｂ（図２参照）内のエアは、棺冷却台装置Ｃの上面側エア吸引口５１２から吸引され、通気空間部８を通りながら蒸発器６１で冷やされ、再び上面側冷気供給口５１１から棺Ｂ内へ送られる。
【００５９】
また、上面側エア吸引口５１２及び上面側冷気供給口５１１の下部側には、斜め下方に向けてコーナー部８１，８２が設けてある。これにより、上面側エア吸引口５１２から吸引されたエアの空気抵抗が小さくなり、円滑に蒸発器６１内へ流れる。また、蒸発器６１から排出された冷気も、同様に、円滑に上面側冷気供給口５１１へ流れる。このように、空気抵抗を小さくしてエアまたは冷気の流れを良くすることで、棺冷却台装置Ｃから音が極力発生しないようにしている。
【００６０】
冷却機６を構成する凝縮器及び圧縮器（おおまかな位置を点線と符号６２で示す）は、上記した空間部８０に収容されている。凝縮器及び圧縮器（符号６２）と蒸発器６１とは配管（図示省略）で繋がっている。冷却機６の構造は周知の技術であるため、詳しい説明は省略する。
【００６１】
載置部５４の下部側に設けてある中空部５５は、底部側に開口部５５０を備え、外気と連通している。また、上記した空間部８０と中空部５５も開口部５６０によって連通している。このような構造により、凝縮器（符号６２）からの熱は中空部５５を介して外気へ排出される。
【００６２】
なお、図１で符号５０１は、載置台５に形成された放熱用の孔を示している。
この孔５０１は、図１で載置台５の右側面部にも設けられている。
【００６３】
図６及び図７に示すように、載置台５の右側部側のうち、幅方向の両端側は、高さ方向の全部にわたって切欠部５７，５７がそれぞれ設けてある。各切欠部５７の上端側には、平面視でＬ形状の位置決め部材５８，５８が長手方向にやや張り出して設けてある。
【００６４】
そして、棺Ｂを棺冷却台装置Ｃの上面部５１に載置する際は、図１に示すように、棺Ｂ（図３参照）の右側面部１７を位置決め部材５８，５８に当接させる。
これにより、棺Ｂの底面側冷気取入口１１１と底面側エア排出口１１２とが、棺冷却台装置Ｃの上面側冷気供給口５１１と上面側エア吸引口５１２に合う。
なお、位置決め部材５８，５８は、図７で載置台５の左側部側に設けることもできるし、載置台５の側部側両方に設けることもできる。
【００６５】
切欠部５７，５７の下端側には、載置台５の幅方向に渡って配置された棒状の把手５９の両端部がそれぞれ固定されている。この把手５９は、図６で載置台５の左側面側の下部側にも、同様に設けてある。そして、棺冷却台装置Ｃを持ち上げて移動させる場合は、向かい合わせに立った者がこの把手５９を掴んで抱えれば良い。
【００６６】
更に、図７に示すように、載置台５の上面部５１には、着脱可能な第一蓋体５１３及び第二蓋体５１４が設けてある。符号５１５は、第一蓋体５１３と第二蓋体５１４を開けたり閉じたりする際に、指を差し入れるための孔部を示している。第一蓋体５１３を外せば蒸発器６１が現れ、第二蓋体５１４を外せば凝縮器及び圧縮器（符号６２）が現れる。このように、各蓋体５１３，５１４を外すことで、内部機器類のメンテナンスを容易に行うことができる。
【００６７】
図９に示すように、載置台５の背面側の所要の位置にも、ヒンジ５１６，５１６を軸として上方に開閉する第一扉５１７及び第二扉５１８が設けてある。第一扉５１７及び第二扉５１８を設けることで、同様に内部機器類のメンテナンス、及び後述する水貯留槽５４３（図６参照）の出し入れを容易に行うことができる。
【００６８】
図９で中央に示す符号９は、棺冷却台装置Ｃの操作パネルを示している。操作パネル９には、冷却機６及び送風機７１の作動スイッチ、通気空間部８内の温度をデジタル表示する表示パネル、その他温度設定部等（共に符号省略）が設けてある。また、通気空間部８の所要の位置には、温度センサ（図示省略）が設けてある。
【００６９】
図６で仕切り用の載置部５４の左端側（図８で点線で示す）には、通気空間部８内の水分を下方へ排出する孔５４１が設けてある。水分は、孔５４１から排出管５４２を通って下部側に設けてある水貯留槽５４３に排出される。
【００７０】
（作  用）
図面を参照して、棺冷却システムＳの作用を説明する。
なお、本実施の形態では、図２で右側に頭部が位置するよう遺体Ａを配置しているが、遺体Ａの向きは特に限定されない。
【００７１】
まず、病院等から遺体Ａが納められた棺Ｂが運ばれるので、図１に示す棺冷却台装置Ｃは故人の自宅や斎場等の所要の位置に予め配置しておく。
【００７２】
そして、自宅や斎場等に運び込まれた棺Ｂを、棺冷却台装置Ｃの上に載置する。図１で棺冷却台装置Ｃの上面右端部には、位置決め部材５８，５８が設けてあるので、棺Ｂの右側面部１７を位置決め部材５８，５８に当接させた状態で載置する。
【００７３】
このように、本実施の形態に棺冷却システムＳによれば、従来と相違して、棺Ｂを棺冷却台装置Ｃに載置するだけで、配管を介さずに棺Ｂと棺冷却台装置Ｃの間で冷気を循環させる循環経路を構成することができる。
更に、棺Ｂと冷却機を配管で繋ぐための作業等は全く必要ないので、棺Ｂと棺冷却台装置Ｃの冷却機構を容易に且つ迅速に接続することができる。
なお、その接続の解除も、単に棺Ｂを持ち上げて棺冷却台装置Ｃから取り外すだけで良い。
【００７４】
また、本実施の形態では、棺Ｂを載置台５の中に冷却機６がコンパクトに収納されている。よって、冷却機６を載置台５とは別に設けた場合と比べ、棺冷却台装置Ｃの配置と撤去が迅速にできる。
【００７５】
棺Ｂを棺冷却台装置Ｃに載置したら、操作パネル９（図９参照）で温度等を設定し、冷却機６と送風機７１，７２を作動させる。
【００７６】
図２に示すように、冷却機６の蒸発器６１によって冷やされた空気は、上面側冷気供給口５１１から棺Ｂの冷気供給経路３を通り、側部側冷気供給口１６１から遺体収容部１０に供給される。そして、遺体Ａを冷やしながら流れたエアは、側面側エア排出口１８１からエア排出経路４を通り、棺冷却台装置Ｃの上面側エア吸引口５１２から吸引されて再び蒸発器６１に送られる。
以上のようにして、冷気は遺体Ａの足元側から頭部側に流れて循環し、遺体Ａは冷やされる。
【００７７】
ところで、特許文献１及び特許文献２に開示された従来のものは、棺と冷却機を空気の流通抵抗が大きい配管で接続している。したがって、冷却機を作動させている間中、「シュー」あるいは「ゴー」という冷気が配管を流れる音や振動音がし、静粛な通夜や葬儀の雰囲気を壊してしまう。
【００７８】
これに対し、本実施の形態に係る棺冷却システムＳでは、棺本体１と冷却機６とを空気の流通抵抗が大きい配管で接続せず、空気の流通抵抗が小さい、幅の広い通気空間部８で連通させている。したがって、冷却機６を作動させても、「シュー」あるいは「ゴー」という空気の流れる音や振動音は発生しにくい。よって、葬儀の雰囲気を壊すことなく、静粛に通夜や葬儀を進行させることができる。
【００７９】
また従来のものは、棺の底部側から冷気を供給・排出するようにしているため、冷気は上の方まで行き渡らないまま、排出口から直接的に排出され、遺体収容部１０全体を十分に冷やすことはできない。
【００８０】
しかしながら、本実施の形態では、冷気またはエアを棺本体１の側部上部から遺体収容部１０内に供給・排出するようにしている。よって、冷気は側部から流れて遺体収容部１０の底部側に一旦留まり、更に比較的温度が高い上層のエアは側面側エア排出口１８１から逐次排出される。このように、冷気は側部側冷気供給口１６１から底部側に流れて一旦留まらないと側面側エア排出口１８１から排出されないようになっているので、遺体収容部１０内を十分に冷やすことができる。
【００８１】
更に本実施の形態では、蒸発器６１を棺冷却台装置Ｃの上部側に配置して、通気空間部８の距離、つまり、冷気またはエアが通る経路をできるだけ短くしている。これにより、冷気またはエアの温度上昇を抑えて、冷却機６の負荷を軽減し、冷却機の作動音を低減させている。
【００８２】
また更に、棺本体１の内面側は二重構造になっており、側部側冷気供給口１６１及び側面側エア排出口１８１は側面上部寄りに設けられている。したがって、従来のものと相違して、遺体から出る体液が底面側から棺外へ流れ出るような恐れもない。
【００８３】
なお、図示はしていないが、側部側冷気供給口１６１及び側面側エア排出口１８１をスライド式（摺り合わせ式）の閉鎖板等で開閉可能に構成することもできる。
【００８４】
また棺Ｂの材料は、ダイオキシン類等の有害ガスが発生しないものであれば、必ずしも木製材料に限定するものではなく、例えば段ボール等の紙製材料やその他の材料を採用することができる。
【００８５】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００８６】
更に、特許請求の範囲には、請求項記載の内容の理解を助けるため、図面において使用した符号を括弧を用いて記載しているが、特許請求の範囲を図面記載のものに限定するものではない。
【００８７】
【発明の効果】
本発明は上記構成を備え、次の効果を有する。
（ａ）本発明によれば、棺を棺冷却台装置に載置し、上面側冷気供給口と底面側冷気取入口及び上面側エア吸引口と底面側エア排出口をそれぞれ合わせることにより、配管を介さずに冷気を循環させる循環経路を形成することができる。したがって、空気の流通抵抗が大きい配管から発せられる作動音（空気の音や振動音等）は発生せず、静粛な通夜や葬儀の雰囲気を壊すようなことはない。
【００８８】
（ｂ）本発明によれば、棺を棺冷却台装置に載置し、棺本体の底面側冷気取入口及び底面側エア排出口を、棺冷却台装置の上面側冷気供給口及びエア上面吸引口に合わせるだけで、棺冷却台装置の冷却機と棺とを簡単に接続することができる。
また、棺本体と棺冷却台装置の接続部は、棺と棺冷却台装置の間に隠れて外部に露出しないので、通夜や葬儀の参列者に違和感を与えるということもない。
更に、棺本体と棺冷却台装置間を循環する冷気またはエアは、空気の流通抵抗が大きい配管ではなく、空気の流通抵抗が小さい空間部を流れるので、「シュー」あるいは「ゴー」という配管を流れる空気の音や振動音は発生しにくく、静粛な通夜や葬儀の雰囲気を壊すようなことはない。
【００８９】
（ｃ）遺体収容部へ冷気を供給する側部側冷気供給口、及び遺体収容部内のエアを排出するエア側部排出口が、内面仕切部の上部寄りに設けられているものでは、冷気は側部側冷気供給口から底部側に流れて一旦留まらないと側面側エア排出口から排出されないようになっている。したがって、冷気供給口とエア排出口が共に棺本体の底部側に設けてある従来のものに比べ、遺体収容部内を十分に冷やすことができる。
【００９０】
（ｄ）側部側冷気供給口及び側面側エア排出口は、棺本体の底部側ではなく、側部側に設けてあるので、遺体から出る体液が底面側から棺外へ流れ出るような不都合もない。
【００９１】
（ｅ）内面仕切部の底部を支える支持部材が設けてあるものでは、底部全体が二重構造で空洞になっている場合と比べ、底部側の強度が増すので、遺体を収容しても底が抜けたり、変形するような恐れはない。
【００９２】
【図面の簡単な説明】
【図１】棺冷却システムの使用状態を示す側面視説明図。
【図２】棺冷却台装置に棺を載置した状態で、棺及び棺冷却台装置の一部を断面して内部構造を表した概略説明図。
【図３】蓋体を外し、棺本体を断面して内部構造を表した概略説明図。
【図４】棺本体の底面視説明図。
【図５】図５(ａ)は図３及び図４のＩ−Ｉ部分に対応する断面を示す概略説明図で、図５(ｂ)は図３及び図４のII−II部分に対応する断面を示す概略説明図。
【図６】棺冷却台装置の一部を断面して内部構造を表した概略説明図。
【図７】棺冷却台装置の平面視概略説明図。
【図８】格子体及び上蓋を外して、棺冷却台装置の内部構造を表した平面視概略説明図。
【図９】棺冷却台装置の背面視説明図。
【符号の説明】
Ｓ  棺冷却システム
Ａ  遺体
Ｂ  棺
Ｃ  棺冷却台装置
１  棺本体
２  蓋体
３  冷気供給経路
４  エア排出経路
５  載置台
６  冷却機
８  通気空間部
９  操作パネル
１０  遺体収容部
１１  底面部
１２  底部側仕切部
１３  第一支持部材
１４  第二支持部材
１５  左側面部
１６  左側面仕切部
１７  右側面部
１８  右側面仕切部
２１  扉
５１  上面部
５２  キャスター
５３  格子体
５４  載置部
５５  中空部
５７  切欠部
５８  位置決め部材
５９  把手
６１  蒸発器
６２  凝縮器及び圧縮器
７１  送風機
７２  送風機
８０  空間部
８１，８２  コーナー部
１００ａ  外面部
１００ｂ  内面仕切部
１１１  底面側冷気取入口
１１２  底面側冷気排出口
１６１  側部側冷気供給口
１８１  側面側エア排出口
５０１  孔
５１１  上面側冷気供給口
５１２  上面側エア吸引口
５１３  第一蓋体
５１４  第二蓋体
５１５  孔部
５１６  ヒンジ
５１７  第一扉
５１８  第二扉
５３１  リブ体
５３２  枠部
５４１  孔
５４２  排出管
５４３  水貯留槽
５５０  開口部
５６０  開口部
６１１  排出口
７２１  仕切部
【図１】
2004194921.tif 000003
【図２】
2004194921.tif 000004
【図３】
2004194921.tif 000005
【図４】
2004194921.tif 000006
【図５】
2004194921.tif 000007
【図６】
2004194921.tif 000008
【図７】
2004194921.tif 000009
【図８】
2004194921.tif 000010
【図９】
2004194921.tif 000011